(57)【要約】【課題】粉粒体用計量容器について、過剰なコストアップを伴うことなく計量・取り出しの際の手間を最小限に抑えられるようにする。【解決手段】収納部２と、支持部３と、収納部２の内容物を取り出す取り出し手段とを備え、その取り出し手段が、収納部２周壁に上端側を蝶着され下端側が開閉可能に設けられた取手２２と、先端側に計量スプーン４０を有し基端側に前記取手が連結され取手２２の開閉動作に連動して収納部２底壁外面に沿って摺動するスライド体４とからなり、取手２２の開動作で計量スプーン４０が収納部２底壁の取出し孔２１に上下一致する位置となり計量スプーン４０に内容物が落下して保持され、取手２２の閉動作でスライド４体が摺動して上面で取出し孔２１を閉鎖しながら計量スプーン４０を支持部３外側に突出するとともに計量スプーン４０の内容物が摺り切られて、計量スプーン４０摺り切り一杯分の内容物を取り出すものとした。【選択図】図１
2014061913.tif 000002
【特許請求の範囲】
【請求項１】
上端側に開閉蓋を有して所定の粉粒体を収納する有底筒状の収納部と、該収納部を下から支持する支持部と、前記収納部の内容物を取り出すための取り出し手段とを備え、前記取り出し手段の１回の操作で内容物を計量しながら一定量を取り出す方式の粉粒体用計量容器において、
前記取り出し手段は、前記収納部の周壁外面側に上端側を蝶着されて下端側が開閉可能に設けられてなる取手と、先端側に開口面を上向きにした計量スプーンを有するとともに基端側に前記取手が連結されて前記取手の開閉動作に連動しながら前記収納部の底壁外面に沿って水平方向に摺動するスライド体とからなり、前記取手の開動作により前記計量スプーンが前記開口面を水平にして前記収納部底壁に形成した取出し孔に上下一致する位置となって前記取出し孔を介し前記計量スプーン内に内容物が落下して保持され、前記取手の閉動作で前記スライド体が摺動しその上面で前記取出し孔を閉鎖しながら前記計量スプーンを前記支持部の外側に突出するとともに、前記計量スプーンに保持した内容物が前記収納部の底壁側で摺り切られて、前記計量スプーン摺り切り一杯分の内容物が取り出される、ことを特徴とする粉粒体用計量容器。
【請求項２】
前記取手と前記収納部の周壁との蝶着部分には、前記取手を開方向に付勢するようにバネ部材が介装されて通常は前記取手の全開状態を維持するものとされ、前記周壁を前記取手とともに把持しながら前記取手を閉じる方向に押圧することにより、前記計量スプーンが前記支持部外側に突出して内容物が取り出され、前記押圧を解除することで前記バネ部材の付勢力により前記取手が全開位置に戻るとともに前記計量スプーンが元の位置に戻って内容物が再充填される、ことを特徴とする請求項１に記載した粉粒体用計量容器。
【請求項３】
前記計量スプーンは、前記スライド体の本体部分をなすスライド部材の先端側に、前記開口面が水平位置から所定角度下向きになる位置との間で先端側が上下動可能な状態で蝶着されており、前記支持部から外側に所定量以上突出させる動作に連動して先端側を下げ、前記支持部内に引き込む動作に連動して先端側を持ち上げて前記水平位置に戻る、ことを特徴とする請求項１または２に記載した粉粒体用計量容器。
【請求項４】
前記スライド体は、前記取手の全開から全閉までの総ての位置に亘って前記取出し孔を下から塞ぐ構造とされている、ことを特徴とする請求項１，２または３に記載した粉粒体用計量容器。
【請求項５】
前記支持部には、前記スライド体の上面側を前記収納部の底壁外面に密着させるように前記スライド体を下から押圧して上向きに付勢させる押圧部材が配設されている、ことを特徴とする請求項４に記載した粉粒体用計量容器。
【発明の詳細な説明】
【技術分野】
【０００１】
本発明は、調味料や薬剤等の粉粒体を収納するとともに、その所定量を計量しながら取り出すことのできる粉粒体用計量容器に関する。
【背景技術】
【０００２】
顆粒状の調味料や粉末状の薬剤等を収納容器から一定量取り出す場合、計量スプーンを用いて多めに掬い、容器の開口部等に設けた擦り切り板で盛り上がった部分を擦り切って正確な量にすることが行われている。しかし、内容物を取り出す際には蓋を開けておくことから、容器開口部から埃や水分が侵入して内容物を変質させることがある。またこの場合、両手で蓋を開ける動作、計量スプーンで掬う動作、擦り切る動作、両手で蓋を閉める動作など、連続した多数の動作を行うことになって面倒な手間を要してしまう。
【０００３】
そこで、特開平８−２８２７１５号公報には、円筒状容器のキャップの天板に開口蓋を有するとともに天板下面に擦り切り板と２つの垂直な側面板を有して、柄部と背板と計量部とを備えた計量スプーンを、開口蓋・擦り切り板・２つの側面板及び周壁とに摺接させるものとして、柄部をキャップから引き出す動作で擦り切り板の下端が計量部の上端を摺動しながらスプーン摺切り一杯分の内容物を正確に取り出す方式とした粉体用計量容器が提案されている。
【０００４】
また、特開２００１−６３７４５号公報には、キャップが本体容器に相対回動可能に取り付けられているとともに計量用管状部を有しており、容器を倒立させることで計量用管状部に内容物の所定量が分取され、その状態でキャップを本体容器に対し相対回動させることで計量用管状部の下端が閉塞されて、その後キャップの開口蓋を開放することで内容物が正確に計量されて取り出される方式を採用した計量容器も提案されている。
【０００５】
これにより、計量スプーンを手に持ちながら内容物を掬って擦り切る動作が不要になるとともに、そのために容器が大きく開口して異物を侵入させてしまう心配も少なくなる。しかしながら、これらの計量容器は、計量機能を発揮する部分の構造が極めて複雑で製造コストが嵩みやすいことに加え、計量機能部分が容器上部に配置されている関係で、内容物を計量する際に容器を倒立又は倒立に近い角度まで傾斜させる動作が必要となる。また、計量した内容物を取り出す際には両手による操作が必要になるため、前述した手間の解消は未だ不十分である。
【先行技術文献】
【特許文献】
【０００６】
【特許文献１】特開平８−２８２７１５号公報
【特許文献２】特開２００１−６３７４５号公報
【発明の概要】
【発明が解決しようとする課題】
【０００７】
本発明は、上記のような問題を解決しようとするものであり、粉粒体用計量容器について、過剰なコストアップを伴うことなく計量・取り出しの際の手間を最小限に抑えられるようにすることを課題とする。
【課題を解決するための手段】
【０００８】
そこで、本発明は、上端側に開閉蓋を有して所定の粉粒体を収納する有底筒状の収納部と、この収納部を下から支持する支持部と、収納部の内容物を取り出すための取り出し手段とを備え、前記取り出し手段の１回の操作で内容物を計量しながら一定量を取り出す方式の粉粒体用計量容器において、その取り出し手段は、収納部の周壁外面側に上端側を蝶着されて下端側が開閉可能に設けられてなる取手と、先端側に開口面を上向きにした計量スプーンを有するとともに基端側に前記取手が連結されて取手の開閉動作に連動しながら収納部の底壁外面に沿って水平方向に摺動するスライド体とからなり、取手の開動作により前記計量スプーンが前記開口面を水平にして収納部底壁に形成した取出し孔に上下一致する位置となって取出し孔を介し計量スプーン内に内容物が落下して保持され、取手の閉動作で前記スライド体が摺動しその上面で前記取出し孔を閉鎖しながら計量スプーンを支持部の外側に突出するとともに、計量スプーンに保持した内容物が前記収納部の底壁側で摺り切られて、計量スプーン摺り切り一杯分の内容物が取り出されることを特徴とするものとした。
【０００９】
このように、筒状の収納部の下方に取手の開閉動作に連動して引き込み・突出動作を行う計量スプーンを有したスライド体を配設し、取手の開状態で収納部底壁の取出し孔を介して計量スプーンに内容物が充填され、取手の閉動作で内容物を摺り切りながら計量スプーンが収納部外側に突出して内容物が取り出される方式としたことにより、比較的簡単な構成でありながら簡易な操作で正確に計量された内容物を取り出せるものとなる。
【００１０】
また、この粉粒体用計量容器において、その取手と収納部周壁との蝶着部分には、取手を開方向に付勢するようにバネ部材が介装されて通常は取手の全開状態を維持するものとされ、収納部の周壁を取手とともに把持しながら取手を閉じる方向に押圧することにより、計量スプーンが支持部外側に突出して内容物が取り出され、押圧を解除することで前記バネ部材の付勢力により取手が全開位置に戻るとともに計量スプーンが元の位置に戻って内容物が再充填される、ことを特徴としたものとすれば、片手による簡単な操作で正確な量の内容物が取出せるものとなる。
【００１１】
さらに、上述した粉粒体用計量容器において、その計量スプーンは、前記スライド体の本体部分をなすスライド部材の先端側に、その開口面が水平位置と所定角度下向きの位置との間で先端側が上下動可能な状態で蝶着されており、支持部から外側に所定量以上突出させる動作に連動して先端側を下げ、支持部内に引き込む動作に連動して先端側を持ち上げて前記水平位置に戻る、ことを特徴としたものとすれば、取手の閉じ動作だけで計量スプーンが突出しながら先端側を下げることになるため、１つの操作だけで内容物を所定量取り出しながら目的とする対象に振り落とす動作を実現するものとなる。
【００１２】
さらにまた、上述した粉粒体用計量容器において、そのスライド体は、取手の全開から全閉までの総ての位置に亘って前記取出し孔を下から塞ぐ構造とされていることを特徴としたものとすれば、取手の開閉動作に伴い取出し孔から内容物が漏出するのを防止することができる。
【００１３】
この場合、その支持部には、スライド体の上面側を収納部の底壁外面に密着させるようにスライド体を下から押圧して上向きに付勢させる押圧部材が配設されている、ことを特徴としたものとすれば、スライド体と収納部の底壁外面の間に隙間が生じて取出し孔から内容物が漏出することを回避しやすいものとなる。
【発明の効果】
【００１４】
収納部の下方において取手の開閉動作に連動して引き込み・突出動作を行う計量スプーンを配置した本発明によると、過剰なコストアップを伴うことなく計量・取り出しの際の手間を最小限に抑えられるものとなる。
【図面の簡単な説明】
【００１５】
【図１】本発明における実施の形態の縦断面図である。
【図２】図１の粉粒体用計量容器における取出し手段の主要部の構成を示す拡大した分解斜視図である。
【図３】図１の粉粒体用計量容器に粉粒体を収納した状態を示す縦断面図である。
【図４】図３の状態から取手を閉じて計量スプーンを突出させた状態を示す縦断面図である。
【発明を実施するための形態】
【００１６】
以下に、図面を参照しながら本発明を実施するための形態を説明する。
【００１７】
図１は、本実施の形態の粉粒体用計量容器１Ａを縦断面図で示している。この粉粒体用計量容器１Ａは、主として塩・こしょうなどの粒状の調味料を収納しながらその一定量を簡易に取り出せるようにすることを目的としたものであるが、乾燥した粉末状・粒状・顆粒状の粉粒体であれば、食材や薬剤等についても同様に使用することができる。
【００１８】
粉粒体用計量容器１Ａは、全体として略円柱状の容器であり、上端側の開口部分２ａを塞ぐ円盤状の蓋体５を有して所定の粉粒体を収納する有底円筒状の収納部２と、壁体３０と略円形の底面を有し収納部２下端側に接続されてこれを下から支持する支持部３と、収納部２の収納スペース２０内の内容物を取り出す取出し手段としての取手２２及びスライド体４とを備え、取出し手段の１回の操作で内容物を計量しながら一定量を取り出すものとされている。
【００１９】
その内容物の取出し手段は、収納部２外壁外面に形成された縦長の溝２ｂ中の上側部分に軸２５で上端側を蝶着され、下端側が開閉可能に設けられてなる取手２２と、この取手２２の内面下側部分に並列して形成したアーチ状の係合体２２ａ（一方は図示されない）に基端側を係止・連結され、取手２２の開閉動作に連動して支持部３内側で収納部２の底壁外面に沿って水平方向に摺動する横長の部材によるスライド体４とからなる。
【００２０】
取手２２は、収納部２の溝２ｂ内に収まる幅でこれよりもやや長い薄板状の部材であるが、内面上側部分から側方に突設した軸孔のあるアーム２２ｂが溝２ｂ内で水平方向に渡された軸２５により枢着されて、下向きの下端側が所定範囲で開閉可能な状態で取り付けられている。また、中心の巻回部分を軸２５で挿通されたヘアピン状のバネ部材２６が、取手２２を開方向に付勢するように取手２２内側と収納部２の溝２ｂ底面との間に介装されており、通常は取手２２を全開状態に維持するように付勢している。
【００２１】
一方、スライド体４は、開口面側を上向きにした計量スプーン４０と、基端側が取手２２の係合体２２ａに連結され先端側が計量スプーン４０基端側に連結されて支持部３内で摺動動作を行うスライド部材としての羽子板状のアーム板４１とからなり、取手２２の開閉動作に連動して支持部３内側で収納部２底壁外面に沿って水平方向に摺動するようになっている。
【００２２】
即ち、取手２２の開動作により、スライド体４の計量スプーン４０がその窪み４００の開口面を水平にしながら収納部２底壁に形成した取出し孔２１に上下一致した位置となってこれを下から塞ぐとともに、その取出し孔２１を介して内容物が窪み４００内に落下して保持され、取手２２の閉動作でスライド体４が摺動して、アーム板４１の上面で取出し孔２２を閉鎖しながら計量スプーン４０を支持部３の外側に突出させるとともに、その動作により窪み４００に保持した内容物が収納部２の底壁外面で摺り切られて、計量スプーン４０摺り切り一杯分の内容物が取り出されるようになっており、この点が本発明の特徴部分となっている。
【００２３】
尚、収納部２の開口部分２ａを塞ぐ蓋体５は、円盤状の部材の上面に形状の異なる２つの振り出し孔５１，５２を有するとともに、これらを各々塞ぐ小蓋５ａ，５ｂが開閉可能に蝶着されてなるものであり、前述のように計量スプーン４０で計量して内容物を取り出すこと以外に、上端側を下向きにした状態で振り出し孔５１，５２を介して内容物を振り出すこともできる。
【００２４】
図２の分解斜視図を参照しながら、取出し手段の主要部をなすスライド体４の構成を以下に詳細に説明する。スライド体４を構成している羽子板状のアーム板４１の底面先端側には、軸孔を有した連結アーム４１１ｃ，４１１ｄが垂設されている。一方、計量スプーン４０は、その基端側に連結アーム４０１ａ，４０１ｂが垂設されており、その凸軸が連結アーム４１１ｃ，４１１ｄの軸孔に挿入されてアーム板４１に連結されており、その窪み４００による開口面が水平位置と所定角度下向きになる位置との間で先端側が上下動作可能とされている。
【００２５】
そのアーム板４１は、上述したように羽子板状で上面が平面状とされた部材からなり、その基端側の幅狭部分４１２の基端には取手２２側に係合・連結させるための係合軸４１２ａが、その長手方向に対し直角かつ水平方向に設けられている。また、その先端側の幅広部分４１１は、取手２２の全閉位置で収納部２の底壁外面に形成した取出し孔２１の開口部を下から総て塞ぐ閉鎖面を構成する。
【００２６】
さらに、この幅広部分４１１の下面には、スライド体４の長手方向に沿うようにリブ４１１ａ，４１１ｂが並列して垂設されており、図１に示したように、その下端側に下から当接してアーム板４１上面を収納部２の底壁外面に密着させる方向に押圧する押圧部材としての弾性を有した舌片３２，３３が、支持部３内側に配設されている。
【００２７】
一方、計量スプーン４０においても、収納部２の底壁に形成した取出し孔２１の外周部分に密着する構造として窪み４００の開口部周縁部分の基端側が水平方向に平板状に延長されてスライド体４の長手方向に対し直角かつ水平の端縁線を構成する摺接板４０１が形成されており、取手２２の全開時においてこの摺接板４０１の上面が収納部２の底壁外面に密着するとともに、その基端側の端縁部分がアーム板４１の幅広部分４１１先端側の端縁部分に密着して両者の上面が面一の状態で連続するようになっており、取手２２の全開から全閉までの総ての位置に亘ってスライド体４が取出し孔２１を下から塞ぐようになっている。
【００２８】
また、計量スプーン４０の窪み４００を構成している半球状部分の下側外周面には、リブ４００ａがスライド体４の長手方向に沿って形成されており、計量スプーン４０の先端側が下向きに屈曲した際には、その基端側がアーム板４１のリブ４１１ａ，４１１ｂの間に挿入されるようになっている。そして、このリブ４００ａには、前述した舌片３２が取手２２の全開時に下から当接して計量スプーン４０の開口面側を収納部２の底壁外面に密着させるようになっている。
【００２９】
このように、スライド体４の上面側は、計量スプーン４０の窪み４００を除く総ての部分において連続した面一の平面を形成するとともに、その下方に配置した舌片３２，３３により収納部２の底壁外面に密着する方向に押圧される構成とされており、取手２２の開閉動作に連動したスライド体４の摺動動作における総ての位置において取出し孔２１を下から塞ぐ状態を維持するものとして、収納部２内の粉粒体が外部に漏出するのを防ぐ機能を発揮する。
【００３０】
次に、本実施の形態による機能の詳細について、図３、図４を用いながら説明する。図３は、上述した粉粒体用計量容器１Ａにこしょう等の粒状の調味料を収納した状態を示している。この状況においては、収納部２の開口部分２ａは蓋体５で閉鎖されているが、収納部２の取出し孔２１も、取手２２の全開位置でスライド体４の計量スプーン４０が舌片３２，３３で下から押圧されてその開口部外周部分である摺接板４０１上面が下から密着した状態で塞がれており、計量スプーン４０の窪み４００に内容物が充填されたまま、収納部２内に外部の埃や水分が侵入しにくい状態を維持している。
【００３１】
この計量スプーン４０に摺り切り１杯分の内容物を計量して取り出す場合は、片手で収納部２の周壁外周側を取手２２とともに把持して持ち上げ、内容物を投入する対象の上方でこれを支持しながら、図４に示すように把持したまま握って取手２２を全閉位置まで押し込む。
【００３２】
すると、スライド体４は収納部２の底壁外面に上面を接しながら摺動し、計量スプーン４０が支持部３の外側に突出する。これにより、計量スプーン４０の窪み４００に充填した内容物は摺り切られて外部に取り出され、且つ、その計量スプーン４０は、リブ４００ａを介しこれを下から支えていた舌片３２が接しない位置になるため、その自重により先端側が下向きに屈曲する。これにより、容器をさらに傾けることなく窪み４００内に保持した内容物が一連の動作で振り落とされる。
【００３３】
また、この状態において、スライド体４のアーム板４１上面は、舌片３２によりリブ４１１ａを介して収納部２の底壁外面に押圧されて密着しており、取出し孔２１を介して内容物が漏出しない状態を維持している。そして、取手２２の押し込みを解除することにより、バネ部材２６の弾性反発力で取手２２は図３に示した元の全開位置に戻り、スライド体４も元の位置に戻って計量スプーン４０の窪み４００に内容物が再充填される。
【００３４】
このように比較的簡易な構成の本実施の形態を用いることで、取出しの際に容器を倒立される手間を要することなく、片手による極めて簡易な操作だけで計量スプーン４０に摺り切り一杯分の正確な計量と取出しが行えるものである。また、内容物の密閉性を維持しながら操作中に内容物が漏出するのを防止することができ、さらに、同一の動作を連続して行いながら正確な量の内容物を連続的に取り出すこともできる。
【００３５】
以上述べたように、粉粒体用計量容器について、本発明により過剰なコストアップを伴うことなく、計量・取り出しの際の手間を最小限に抑えられるようになった。
【符号の説明】
【００３６】
１Ａ  粉粒体用計量容器、２  収納部、２ａ  開口部分、３  支持部、４  スライド体、５  蓋体、２０  収納スペース、２１  取出し孔、２２  取手、２６  バネ部材、３２，３３  舌片、４０  計量スプーン、４１  アーム板、４００  窪み、４００ａ，４１１ａ，４１１ｂ  リブ
【図１】
2014061913.tif 000003
【図２】
2014061913.tif 000004
【図３】
2014061913.tif 000005
【図４】
2014061913.tif 000006